(57)【要約】【課題】  本発明は魚釣用リールに関し、軸方向長の短縮化によりリール全体のコンパクト性を図って、良好な魚釣り操作性及び携帯性を確保した魚釣用リールを提供することを目的とする。【解決手段】  リール本体の側板間に回転自在に支持したスプールの回転数と回転方向を検出する回転検出装置と、前記回転検出装置の検出信号を基に釣糸の繰出し量や巻取り量を計測する糸長計測装置を制御ボックスに備えた魚釣用リールに於て、前記制御ボックスを、前記リール本体の一側部内に設けると共に、当該制御ボックスに、前記スプールが取り付くスプール軸を回転自在に支持する軸受部を設けたことを特徴とする。【選択図】    図１
2007202530.tif 000002
【特許請求の範囲】
【請求項１】
リール本体の側板間に回転自在に支持したスプールの回転数と回転方向を検出する回転検出装置と、
前記回転検出装置の検出信号を基に釣糸の繰出し量や巻取り量を計測する糸長計測装置を制御ボックスに備えた魚釣用リールに於て、
前記制御ボックスを、前記リール本体の一側部内に設けると共に、当該制御ボックスに、前記スプールが取り付くスプール軸を回転自在に支持する軸受部を設けたことを特徴とする魚釣用リール。
【請求項２】
前記制御ボックスに、回転検出装置を構成する受信部を内装すると共に、当該受信部に対向してスプール側に、回転検出装置の発信部を設けたことを特徴とする請求項１に記載の魚釣用リール。
【請求項３】
前記制御ボックスに設けた軸受部の径方向外方に、スプールの回転に制動力を付与する制動装置を配設したことを特徴とする請求項１または請求項２に記載の魚釣用リール。
【発明の詳細な説明】
【技術分野】
【０００１】
本発明は魚釣用リールに係り、詳しくはスプールの回転（回転数と回転方向）から釣糸の繰出し及び巻取り時の糸長を計測する糸長計測装置を備えた魚釣用リールに関する。
【背景技術】
【０００２】
釣果の向上を図るため、近年、多くの魚釣用リール、特に中型から大型の魚釣用リールには、釣糸の繰出し及び巻取り時の糸長を計測する糸長計測装置が備えられている。
この糸長計測装置は、特許文献１に開示されるようにスプールの回転数と回転方向を検出する回転検出装置と、この回転検出装置の検出値を基に糸長を計測して、糸長計測値を表示器に表示させるマイクロコンピュータ等の電子制御装置とで構成されており、通常、リール本体に取り付く制御ボックス内に電子制御装置が組み込まれ、糸長計測値を釣人が視認可能に表示器が制御ボックスに設けられている。
【０００３】
ところで、図８に示すように特許文献１に開示された魚釣用リール１は、回転検出装置３への水滴や埃の付着を防止して良好な糸長計測を可能とするため、リール本体５のフレーム７中央に設けた軸受部９にスプール軸１１を回転自在に支持して、当該スプール軸１１の端部にバックラッシュ防止装置１３の回転部材１５を回り止め嵌合し、そして、当該回転部材１５に、回転検出装置３のマグネット（発信部）１７を装着すると共に、フレーム７に取り付く左側板１９に固定した制御ボックス２１の前記マグネット１７に対向するその内側面に、回転検出装置３の磁気センサ（受信部）２３を装着した構成からなり、制御ボックス２１は左側板１９からスプール軸１１の軸方向外方へ突出し、その突出した制御ボックス２１の上部に、糸長計測値２５を表示する表示器２７が配置されている。
【特許文献１】特許第３５１５８８７号公報
【発明の開示】
【発明が解決しようとする課題】
【０００４】
しかし乍ら、前記魚釣用リール１は、スプール軸１１を支持する軸受部９，回転検出装置３，制御ボックス２１等をスプール軸１１の軸方向に配設した構造上、リール全体の軸方向長が大きくなってコンパクト性に欠け、魚釣り操作性及び携帯性に劣る等の課題を残していた。
本発明は斯かる実情に鑑み案出されたもので、軸方向長の短縮化によりリール全体のコンパクト性を図って、良好な魚釣り操作性及び携帯性を確保した魚釣用リールを提供することを目的とする。
【課題を解決するための手段】
【０００５】
斯かる目的を達成するため、請求項１に係る発明は、リール本体の側板間に回転自在に支持したスプールの回転数と回転方向を検出する回転検出装置と、前記回転検出装置の検出信号を基に釣糸の繰出し量や巻取り量を計測する糸長計測装置を制御ボックスに備えた魚釣用リールに於て、前記制御ボックスを、前記リール本体の一側部内に設けると共に、当該制御ボックスに、前記スプールが取り付くスプール軸を回転自在に支持する軸受部を設けたことを特徴とする。
【０００６】
そして、請求項２に係る発明は、請求項１に記載の魚釣用リールに於て、前記制御ボックスに、回転検出装置を構成する受信部を内装すると共に、当該受信部に対向してスプール側に、回転検出装置の発信部を設けたことを特徴とし、請求項３に係る発明は、請求項１または請求項２に記載の魚釣用リールに於て、前記制御ボックスに設けた軸受部の径方向外方に、スプールの回転に制動力を付与する制動装置を配設したことを特徴とする。
【発明の効果】
【０００７】
請求項１に係る発明によれば、制御ボックスをスプール軸を支持する機能部品として兼用し、リール本体の一側部内に装着したので、リール本体に装着する部品及びスペースの有効活用が図られて軸方向長が短縮化され、リール全体のコンパクト化か可能となって魚釣り操作性及び携帯性が一段と向上する利点を有する。
そして、請求項２に係る発明によれば、制御ボックスに回転検出装置の受信部を内装すると共に、これに対向してスプール側に回転検出装置の発信部を設けることで、リール本体がスプールの径方向に大型化することがなく、更に、請求項３に係る発明によれば、制御ボックスとスプールとの間に形成される軸方向及び径方向の限られたスペース内に制動装置を収容配置することが可能となり、制動装置を備えた魚釣用リールのより一層のコンパクト化が可能となる。
【発明を実施するための最良の形態】
【０００８】
以下、本発明の実施形態を図面に基づいて詳細に説明する。
図１乃至図３は請求項１乃至請求項３の第一実施形態に係る魚釣用リールを示し、図１に於て、３１，３３はフレーム３５の左右のフレーム枠体３５ａ，３５ｂに取り付く側板で、両側板３１，３３とフレーム３５とによって魚釣用リール３７のリール本体３９が構成されている。
【０００９】
図３に示すように、フレーム３５のフレーム枠体３５ａ，３５ｂとこれらに取り付く側板３１，３３は何れも側面視円形状に形成されており、図１に示すように、後述するハンドル４０側のフレーム枠体３５ｂとこれに取り付く側板３３は、反ハンドル側のフレーム枠体３５ａと側板３１よりも小径とされている。
そして、図１及び図２に示すように反ハンドル側のフレーム枠体３５ａの中央に、円形状の制御ボックス取付孔４１が開口し、当該制御ボックス取付孔４１に制御ボックス４３の環状フランジ４５が嵌合している。
【００１０】
制御ボックス４３は、後述するマイクロコンピュータ等の糸長計測装置の電子制御装置が組み込まれた円筒形状をなし、側板３１の内周面から離間して当該側板３１内に収容可能な大きさに形成されている。そして、そのフレーム側内面に前記環状フランジ４５が突設されている。
また、図２及び図３に示すように制御ボックス４３には、その中心を挟んで一対のプレート状の取付フランジ４７，４９がリール本体３９の前後方向に設けられており、前記制御ボックス取付孔４１に環状フランジ４５を嵌合させて、取付フランジ４７，４９を夫々フレーム枠体３５ａにねじ止めすることで、制御ボックス４３がフレーム３５の一側部に固着されている。
【００１１】
更に、図３に示すように、制御ボックス４３の外周からリール本体３９の斜め上方へ向けて、表示器取付部５１が制御ボックス４３と同一の厚みで延設されており、図１及び図３に示すように表示器取付部５１の先端はスプール軸６１より前方で側板３１の外周面から上方へ突出し、その先端の水平部５３に液晶の表示器５５が釣人に視認可能に装着されている。尚、図示しないが表示器取付部５１内には、表示器５５の液晶基板と制御ボックス４３内のマイクロコンピュータ等の電子制御装置とを電気的に接続するリード線が配線されている。
【００１２】
そして、既述したように制御ボックス４３のフレーム側内面に環状フランジ４５が突設されているが、当該フレーム側内面には、更に環状フランジ４５と中心軸を同じくし、且つ当該環状フランジ４５と同一高さを有する環状の軸受部５７が同方向へ突設されており、当該軸受部５７に組み込んだ軸受５９と側板３３側の軸受（図示せず）とで、両側板３１，３３間にスプール軸６１を介してスプール６３が回転可能に支持されている。
【００１３】
一方、図１に示すようにハンドル４０側の側板３３内に突出するスプール軸６１には、当該スプール軸６１に設けたクラッチ部６５に係脱可能なピニオンギヤ６７が相対回転可能且つその軸方向へスライド可能に取り付けられており、側板３３に装着したクラッチレバー６９を操作して、クラッチ部６５とピニオンギヤ６７とのクラッチ係合をクラッチプレート７１で解除すると、スプール６３がスプールフリー状態となって、キャスティング動作で釣糸がスプール６３から繰り出されるようになっている。
【００１４】
また、図１中、４０は釣糸巻取り用のハンドルで、そのハンドル軸７３にはピニオンギヤ６７に噛合するドライブギヤ７５が相対回転可能に取り付けられており、ハンドル４０の回転操作による巻取り力がドライブギヤ７５とピニオンギヤ６７を介してスプール軸６１からスプール６３に伝達されるようになっている。そして、このクラッチＯＦＦ状態でハンドル４０を巻取り方向へ回転させると、図示しない周知の復帰機構を介してクラッチＯＮ状態に復帰するように構成されており、このクラッチレバー６９とハンドル４０のクラッチＯＮ／ＯＦＦの切換え操作でスプール６３が釣糸巻取り状態とスプールフリー状態とに切り換わって、スプール６３へのハンドル４０の巻取り駆動力が伝達／遮断されるようになっている。
【００１５】
そして、ドライブギヤ７５とハンドル軸７３は従来周知のドラグ装置７７によって摩擦結合されており、ドラグ力の調節はハンドル軸７３に回転可能に装着したドラグノブ７９で行うようになっている。
更に、図１中、８１はスプール６３前方のリール本体３９上部に装着されたレベルワインド機構で、ハンドル４０の巻取り操作に伴い、ドライブギヤ７５に噛合する連結ギャ８３に結合されたウォームシャフト８５が回転して釣糸案内部材８７がスプール６３の軸方向へ往復動することにより、釣糸がスプール６３の釣糸巻回胴部８９に均一に巻回され、また、キャスティング動作に伴い、釣糸巻回胴部８９に巻回された釣糸が均一に繰り出されるようになっている。
【００１６】
そして、本実施形態に係る魚釣用リール３７は、前記軸受部５７（軸受５９）に回転自在に支持されたスプール軸６１の端部にバックラッシュ防止装置（制動装置）９１の回転部材９３が回り止め嵌合されて、当該回転部材９３に回転検出装置９５のマグネット（発信部）９７が装着されている。
図２に示すようにスプール軸６１の端部に回り止め嵌合された回転部材９３は円板状に構成されて、前記環状フランジ４５の内面から所定の隙間をもって離間して配されると共に、スプール軸６１を囲繞するように軸方向に突出して軸受部５７の径方向外方へ延設された筒状部９９を有している。
【００１７】
そして、この筒状部９９に、径方向外方へ９０°の間隔を空けて４本のステー状の遠心カラー保持部１０１が、スプール軸６１の軸方向からオフセットして挿着されている。そして、各遠心カラー保持部１０１に、径方向へ移動可能に支持された遠心カラー１０３が取り付けられており、各遠心カラー１０３は、回転部材９３（スプール６３）の回転速度が速くなればなるほど、その遠心力によって拡径方向へ移動するように構成されている。
【００１８】
一方、環状フランジ４５の内周面には、遠心カラー１０３が所定の遠心力で径方向へ移動したときに当接するブレーキリング１０５が取り付けられており、回転部材９３（スプール６３）の回転速度が必要以上に速くなると、各遠心カラー１０３がブレーキリング１０５に当接して回転部材９３に制動力が付与され、これによりスプール６３の回転が抑制されてバックラッシュの発生が防止されることとなる。
【００１９】
そして、筒状部９９の突出端に、１８０°間隔で２個のマグネット９７が装着されると共に、これらの回転軌跡に対向して制御ボックス４３に、リードスイッチやホール素子等から構成される磁気センサ（受信部）１０７が内装されており、これらはスプール６３の回転数と回転方向を検出する回転検出装置９５を構成する。そして、磁気センサ１０７は、制御ボックス４３内に組み込まれたマイクロコンピュータに接続されている。
【００２０】
而して、マイクロコンピュータのＣＰＵは、磁気センサ１０７から出力されるスプール６３の正転，逆転の判定信号を取り込んで釣糸の繰出しか巻取りかを判定すると共に、磁気センサ１０７から取り込むスプール６３の回転パルス信号をカウントして、この計数値を基に、ＲＯＭに記憶された糸長計測装置の糸長計算式を演算実行するようになっている。
【００２１】
そして、ＣＰＵは、その演算結果（糸長計測値）を前記表示器５５に表示し、釣人は斯かる表示を確認し乍ら、所定の水深に仕掛けを繰り出したり、ハンドル４０の操作で釣糸を巻き取ることができるようになっている。
その他、図２中、１０８は軸受５９と回転部材９３との間に環装されたワッシャ、また、図３に於て、１０９はリール本体３９（フレーム３５）の底部に取り付く釣竿取付脚、１１１はスプール６３の両端側に設けたフランジ部で、図２に示すように反ハンドル側のフランジ部１１１は前記制御ボックス取付孔４１内に挿入されている。
【００２２】
本実施形態はこのように構成されているから、クラッチレバー６９のクラッチＯＦＦ操作で、スプール６３がスプールフリー状態となってキャスティング動作で釣糸が繰り出され、また、ハンドル４０の巻取り方向への回転操作やクラッチレバー６９のクラッチＯＮ操作でスプール６３が巻取り可能状態に復帰する。
そして、ハンドル４０の巻取り操作でスプール６３に釣糸が巻回され、釣糸の繰出しや巻取りに伴い、回転検出手段９５の検出値を基に釣糸の繰出し量や巻取り量がマイクロコンピュータのＣＰＵで計測されて表示器５５に糸長計測値が表示されるが、本実施形態は、リール本体から外方へ制御ボックスを突出させた図６の従来構造に代え、制御ボックス４３をスプール軸６１を支持する機能部品としてフレーム３５の一側部に固着してこれを側板３１内に装着し、そして、回転検出装置９５のマグネット９７と磁気センサ１０７を回転部材９３と制御ボックス４３とに配置すると共に、バックラッシュ防止装置９１の遠心カラー保持部１０１と遠心カラー１０３を軸方向にオフセットして軸受部５７の径方向外方に配設する等、制御ボックス４３とスプール６３との間に形成される軸方向及び径方向の限られたスペースの有効活用とリール本体３９に装着される部品の有効活用を図ったので、本実施形態によって軸方向長が短縮化され、この結果、図６の従来例に比しリール全体がコンパクトになって魚釣り操作性及び携帯性が一段と向上することとなった。
【００２３】
而も、本実施形態は、マグネット９７と磁気センサ１０７をスプールのフランジ部外周とフレーム枠体とに対向配置する従来周知の構造でないため、リール本体３９がスプール６３の径方向に大型化することもない利点を有する。
尚、図３に示すように前記実施形態は、表示器取付部５１を制御ボックス４３からリール本体３９の斜め上方へ延設して、スプール軸６１より前方で側板３１の外周面から上方へ突出するその先端に表示器５５を装着したが、図４に示すように制御ボックス４３-1から表示器取付部５１-1をリール本体３９の上方へ延設して、スプール軸６１の上方で側板３１の外周面からやや突出するその水平部５３に表示器５５を装着してもよい。
【００２４】
而して、この魚釣用リール３７-1によっても、図１の実施形態と同様、所期の目的を達成することが可能で、従来に比しリール全体がコンパクトになって、魚釣り操作性及び携帯性が一段と向上する利点を有する。
図５は請求項１乃至請求項３の第三実施形態を示し、以下、本実施形態を図面に基づいて説明するが、図１の実施形態と同一のものには同一符号を付してそれらの説明は省略する。
【００２５】
図５に於て、３１-1はフレーム３５のフレーム枠体３５ａに取り付く側板で、当該側板３１-1は図１の側板３１より幅狭に形成され、両側板３１-1，３３とフレーム３５とによって魚釣用リール３７-2のリール本体３９-1が構成されている。
また、図中、１１３は前記側板３１-1に内装されてフレーム枠体３５ａに取り付く制御ボックスで、本実施形態は、マイクロコンピュータ等の電子制御装置を収容する円筒状のボックス本体１１５と、前記表示器取付部５１の如く制御ボックス１１５の外周からリール本体３９-1の斜め上方へ向けて延設された連結部１１７と、当該連結部１１７の先端に一体形成されたサムレスト１１９とで制御ボックス１１３を正面視Ｌ字状に形成したもので、サムレスト１１９は側板３１-1とフレーム枠体３５ａに設けた切欠き１２１，１２３内に配置されて外部に面一に露出し、そして、サムレスト１１９は側板３３側に亘ってリール本体３９-1の上部前方に架け渡されており、その表面には薄肉な液晶の表示器１２５が装着されている。
【００２６】
尚、図中、１２７はサムレスト１１９に内装された液晶基板である。また、前記連結部１１７に、液晶基板１２７とマイクロコンピュータ等の電子制御装置との間に配線されたリード線が収容されている。
そして、ボックス本体１１５は側板３１-1の内周面から離間し、そのフレーム側内面に、フレーム枠体３５ａの制御ボックス取付孔４１に嵌合する環状フランジ４５が形成されると共に、当該環状フランジ４５と中心軸を同じくして環状の軸受部５７が同方向へ突設されており、当該軸受部５７に組み込んだ軸受５９と側板３３側の軸受（図示せず）とで、両側板３１-1，３３間にスプール６３がスプール軸６１を介して回転可能に支持されている。
【００２７】
また、ボックス本体１１５には、その中心を挟んで一対のプレート状の取付フランジ１２９がリール本体３９-1の前後方向に設けられており、前記制御ボックス取付孔４１に環状フランジ４５を嵌合させて、取付フランジ１２９をフレーム枠体３５ａにねじ止めすることで、制御ボックス１１３がフレーム３５の一側部に固着されている。
そして、ボックス本体１１５の内部には、バックラッシュ防止装置９１の回転部材９３に装着したマグネット９７の回転軌跡に対向して磁気センサ１０７が装着されている。
【００２８】
本実施形態はこのように構成されているから、既述した各実施形態と同様、本実施形態によっても所期の目的を達成することが可能であるが、本実施形態は、図１の実施形態と異なり、側板３１-1に表示器を装着せず、側板３１-1，３３間に架け渡したサムレスト１１９に表示器１２５を装着した構造上、側板３１-1を前記側板３１に比し幅狭に形成して軸方向長を短縮できるため、更なるリール全体のコンパクト化が可能となる。
【００２９】
図６及び図７は請求項１乃至請求項３の第四実施形態を示し、本実施形態は、図１及び図４の側板３１と同一幅で形成されてフレーム枠体３５ａに取り付く反ハンドル側の側板３１-2内に、図４の表示器取付部５１-1を省略した制御ボックス４３と同一形状からなる円筒状の制御ボックス４３-2を、側板３１-2の内周面から離間させて取付フランジ４７，４９を介してフレーム枠体３５ａに取り付けたものである。
【００３０】
そして、制御ボックス４３-2のフレーム側内面には、既述した各実施形態と同様、フレーム枠体３５ａの制御ボックス取付孔４１に嵌合する環状フランジ４５が形成されると共に、当該環状フランジ４５と中心軸を同じくして環状の軸受部５７が同方向へ突設されており、軸受部５７に組み込んだ軸受５９と側板３３側の軸受（図示せず）とで、両側板３１-2，３３間にスプール６３がスプール軸６１を介して回転可能に支持されている。
【００３１】
また、スプール軸６１の上方のリール本体３９-2上部に、サムレスト１３１が側板３１-2，３３間に架け渡されており、その表面に薄肉な液晶の表示器１３３が装着され、サムレスト１３１内に液晶基板（図示せず）が組み込まれている。
そして、液晶基板と前記制御ボックス４３-2との間の側板３１-2内に複数本のリード線１３５が配線されており、制御ボックス４３-2内のマイクロコンピュータ等の電子制御装置と液晶基板とが、当該リード線１３５を介して電気的に接続されている。
【００３２】
尚、その他の構成は図４の実施形態と同様であるので、同一のものには同一符号を付してそれらの説明は省略する。
このように、本実施形態に係る魚釣用リール３７-3も、制御ボックス４３-2をスプール軸６１を支持する機能部品としてフレーム３５の一側部に固着してこれを側板３１-2内に装着し、そして、回転検出装置９５のマグネット９７と磁気センサ１０７を回転部材９３と制御ボックス４３-2とに配置すると共に、バックラッシュ防止装置９１の遠心カラー保持部１０１と遠心カラー１０３を軸方向にオフセットして軸受部５７の径方向外方に配設する等、リール本体３９-2に装着される部品及びスペースの有効活用を図って軸方向長の短縮化を図ったため、図６の従来例に比し、リール全体がコンパクトになって魚釣り操作性及び携帯性が一段と向上することとなった。
【００３３】
また、本実施形態も、マグネット９７と磁気センサ１０７をスプールのフランジ部外周とフレーム枠体とに対向配置する従来構造でないため、リール本体３９-2がスプール６３の径方向に大型化することもない利点を有する。
更にまた、本実施形態は、図４の表示器取付部５１-1に代え、制御ボックス４３-2内のマイクロコンピュータ等の電子制御装置と液晶基板とを、可撓性を有しレイアウトの自由度をもったリード線１３５で接続したため、設計の自由度が増す利点を有する。
【００３４】
尚、上述した各実施形態の構造に代え、マグネット９７と磁気センサ１０７をスプールのフランジ部外周とフレーム枠体とに対向してもよく、制御ボックスをスプール軸を支持する機能部品としてフレームの一側部に固着してこれを側板内に装着することで、リール全体のコンパクト化が図れることとなる。
また、図示しないが制御ボックスは電池や必要な電子部品が収容されており、その形状は、側板内のスペースに応じて種々設定される。
【図面の簡単な説明】
【００３５】
【図１】請求項１乃至請求項３の第一実施形態に係る魚釣用リールの要部切欠き平面図である。
【図２】図１に示す魚釣用リールの要部拡大断面図である。
【図３】図１に示す魚釣用リールの切欠き側面図である。
【図４】請求項１乃至請求項３の第二実施形態に係る魚釣用リールの切欠き側面図である。
【図５】請求項１乃至請求項３の第三実施形態に係る魚釣用リールの要部切欠き平面図である。
【図６】請求項１乃至請求項３の第四実施形態に係る魚釣用リールの要部切欠き平面図である。
【図７】図６に示す魚釣用リールの切欠き側面図である。
【図８】従来の魚釣用リールの要部切欠き平面図である。
【符号の説明】
【００３６】
３１，３１-1，３１-2，３３  側板
３５  フレーム
３５ａ，３５ｂ  フレーム枠体
３７，３７-1，３７-2，３７-3  魚釣用リール
３９，３９-1，３９-2  リール本体
４０  ハンドル
４１  制御ボックス取付孔
４３，４３-1，４３-2，１１３  制御ボックス
４５  環状フランジ
５１，５１-1  表示器取付部
５５，１２５，１３３  表示器
５７  軸受部
５９  軸受
６１  スプール軸
６３  スプール
６９  クラッチレバー
９１  バックラッシュ防止装置
９３  回転部材
９５  回転検出装置
９７  マグネット
１０１  遠心カラー保持部
１０３  遠心カラー
１０５  ブレーキリング
１０７  磁気センサ
１１５  ボックス本体
１１７  連結部
１１９，１３１  サムレスト
１３５  リード線
【図１】
2007202530.tif 000003
【図２】
2007202530.tif 000004
【図３】
2007202530.tif 000005
【図４】
2007202530.tif 000006
【図５】
2007202530.tif 000007
【図６】
2007202530.tif 000008
【図７】
2007202530.tif 000009
【図８】
2007202530.tif 000010